(57)【特許請求の範囲】
【請求項１】
画像を変換するフィルタ部品を複数組み合わせた画像フィルタにおけるそれぞれの前記フィルタ部品の出力画像を表示するためのＷｅｂページデータを生成する画像処理装置であって、
複数の前記フィルタ部品に応じた複数の表示オブジェクトを表示するためのＷｅｂページデータを生成するフィルタ部品配置部と、
変換対象画像を前記画像フィルタの入力段から順にそれぞれの前記フィルタ部品により変換させていくことにより、前記複数のフィルタ部品が出力する複数の前記出力画像を生成して保存するフィルタ処理部と、
それぞれの前記表示オブジェクトが選択された場合に対応する前記フィルタ部品の前記出力画像を表示させるべく、前記Ｗｅｂページデータ中のそれぞれの前記表示オブジェクトに対し、対応する前記フィルタ部品の前記出力画像の保存先を示すリンクを付加する画像リンク部と、
リンクが付加された前記Ｗｅｂページデータを保存するデータ保存部と、
を備える画像処理装置。
【請求項２】
前記画像リンク部は、リンク先の前記出力画像を読み出して、前記複数のフィルタ部品に共通する表示領域に表示させるスクリプトを呼び出すコードを前記Ｗｅｂページデータに含める請求項１に記載の画像処理装置。
【請求項３】
前記複数のフィルタ部品に共通する２以上の表示領域から一の表示領域を利用者に選択させる領域選択オブジェクトを前記Ｗｅｂページデータに含める選択処理部を更に備え、
前記画像リンク部は、リンク先の前記出力画像を読み出して、選択された前記表示領域に表示させる前記スクリプトを呼び出すコードを前記Ｗｅｂページデータに含める請求項２に記載の画像処理装置。
【請求項４】
前記データ保存部は、リンクが付加された前記Ｗｅｂページデータを、前記複数の出力画像を保存したディレクトリまたは当該ディレクトリの親ディレクトリに保存する請求項１に記載の画像処理装置。
【請求項５】
複数の前記画像フィルタを格納するフィルタ格納部と、
前記フィルタ格納部に格納された少なくとも１つの前記画像フィルタの少なくとも一部のフィルタ部品を、他のフィルタ部品に置換して新たな前記画像フィルタを生成するフィルタ生成部と、
を更に備える請求項１に記載の画像処理装置。
【請求項６】
コンピュータを、画像を変換するフィルタ部品を複数組み合わせた画像フィルタにおけるそれぞれの前記フィルタ部品の出力画像を表示するためのＷｅｂページデータを生成する画像処理装置として機能させるプログラムであって、
前記コンピュータを、
複数の前記フィルタ部品に応じた複数の表示オブジェクトを表示するためのＷｅｂページデータを生成するフィルタ部品配置部と、
変換対象画像を前記画像フィルタの入力段から順にそれぞれの前記フィルタ部品により変換させていくことにより、前記複数のフィルタ部品が出力する複数の前記出力画像を生成して保存するフィルタ処理部と、
それぞれの前記表示オブジェクトが選択された場合に対応する前記フィルタ部品の前記出力画像を表示させるべく、前記Ｗｅｂページデータ中のそれぞれの前記表示オブジェクトに対し、対応する前記フィルタ部品の前記出力画像の保存先を示すリンクを付加する画像リンク部と、
リンクが付加された前記Ｗｅｂページデータを保存するデータ保存部と、
して機能させるプログラム。
【請求項７】
画像を変換するフィルタ部品を複数組み合わせた画像フィルタにおけるそれぞれの前記フィルタ部品の出力画像を表示するためのＷｅｂページデータをコンピュータにより生成する画像処理方法であって、
前記コンピュータのＣＰＵが、複数の前記フィルタ部品に応じた複数の表示オブジェクトを表示するためのＷｅｂページデータを生成するフィルタ部品配置段階と、
前記ＣＰＵが、変換対象画像を前記画像フィルタの入力段から順にそれぞれの前記フィルタ部品により変換させていくことにより、前記複数のフィルタ部品が出力する複数の前記出力画像を生成して記憶装置に保存させるフィルタ処理段階と、
前記ＣＰＵが、それぞれの前記表示オブジェクトが選択された場合に対応する前記フィルタ部品の前記出力画像を表示させるべく、前記Ｗｅｂページデータ中のそれぞれの前記表示オブジェクトに対し、対応する前記フィルタ部品の前記出力画像の保存先を示すリンクを付加する画像リンク段階と、
前記ＣＰＵが、リンクが付加された前記Ｗｅｂページデータを記憶装置に保存させるデータ保存段階と、
を備える画像処理方法。
【発明の詳細な説明】
【技術分野】
【０００１】
本発明は、画像処理装置、画像処理方法およびプログラムに関する。特に本発明は、画像を変換するフィルタ部品を複数組み合わせた画像フィルタにおけるそれぞれのフィルタ部品の出力画像を表示するためのＷｅｂページデータを生成する画像処理装置、画像処理方法およびプログラムに関する。
【背景技術】
【０００２】
遺伝的アルゴリズムまたは遺伝的プログラミングといった進化的計算を用いた画像フィルタの生成方法が知られている（例えば、非特許文献１参照。）。この方法においては、画像を変換するフィルタ部品を複数組み合わせた画像フィルタに対して、交叉、突然変異および選択等の操作を複数回繰り返すことにより、少なくとも一部のフィルタ部品が置換された新たな画像フィルタを生成していく。このような進化的計算により画像フィルタを生成する場合、目的の画像フィルタが得られるまでに世代交代を繰り返す。そして、各世代において、変換対象の画像を各画像フィルタにより変換して、目標画像と比較する。
【０００３】
【非特許文献１】前薗正宜  他２名、「遺伝的アルゴリズムによる画像フィルタ設計の研究」、［ｏｎｌｉｎｅ］、コンピュータ利用教育協議会、［２００８年３月２０日検索］、インターネット＜URL：http://www.ciec.or.jp/event/2003/papers/pdf/E00086.pdf＞
【発明の開示】
【発明が解決しようとする課題】
【０００４】
ところで、利用者は、進化的計算を用いた画像フィルタの生成を行うプログラム上で生成された画像フィルタにより変換された画像と目標画像とを比較することにより、当該画像フィルタの性能を確認することができた。しかしながら、当該プログラムを実装していない他のコンピュータ上では、変換対象の画像が当該画像フィルタを構成する各フィルタ部品により順次変換された画像を確認することはできなかった。このため、進化的計算の各世代において生成された画像フィルタが、一つ前の世代の画像フィルタに対してどのような特徴を付加または削除することにより生成されたフィルタであるかを他のコンピュータから把握することができなかった。
【０００５】
そこで本発明は、上記の課題を解決することのできる画像処理装置、画像処理方法およびプログラムを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、画像を変換するフィルタ部品を複数組み合わせた画像フィルタにおけるそれぞれの前記フィルタ部品の出力画像を表示するためのＷｅｂページデータを生成する画像処理装置であって、複数の前記フィルタ部品に応じた複数の表示オブジェクトを表示するためのＷｅｂページデータを生成するフィルタ部品配置部と、変換対象画像を前記画像フィルタの入力段から順にそれぞれの前記フィルタ部品により変換させていくことにより、前記複数のフィルタ部品が出力する複数の前記出力画像を生成して保存するフィルタ処理部と、それぞれの前記表示オブジェクトが選択された場合に対応する前記フィルタ部品の前記出力画像を表示させるべく、前記Ｗｅｂページデータ中のそれぞれの前記表示オブジェクトに対し、対応する前記フィルタ部品の前記出力画像の保存先を示すリンクを付加する画像リンク部と、リンクが付加された前記Ｗｅｂページデータを保存するデータ保存部と、を備える画像処理装置、当該画像処理装置に関する画像処理方法、およびプログラムが提供される。
【０００７】
なお、上記の発明の概要は、本発明の必要な特徴の全てを列挙したものではない。また、これらの特徴群のサブコンビネーションもまた、発明となりうる。
【発明を実施するための最良の形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る画像処理装置１０の構成を示す。画像処理装置１０は、変換対象画像を目標画像へ変換するのに適した画像フィルタ２０を進化的計算を用いて生成する。また、画像処理装置１０は、画像フィルタ２０を構成するフィルタ部品２２が変換対象画像を変換した出力画像を他のコンピュータ等に表示するための画面データの一例としてＷｅｂページを生成する。画像処理装置１０は、一例として、コンピュータにより実現される。
【００１０】
画像処理装置１０は、フィルタ格納部３２と、フィルタ生成部３４と、変換対象画像格納部３６と、フィルタ処理部３８と、選択対象画像格納部４０と、目標画像格納部４２と、フィルタ選択部４４と、データ生成部５０と、データ保存部６０とを備える。フィルタ格納部３２は、互いに異なる画像フィルタ２０を複数格納する。
【００１１】
フィルタ生成部３４は、フィルタ格納部３２に格納された少なくとも１つの画像フィルタ２０の一部を、他の画像フィルタ２０の少なくとも一部に置換して新たな画像フィルタ２０を生成する。一例として、フィルタ生成部３４は、フィルタ格納部３２に格納された複数の画像フィルタ２０を読み出し、読み出した複数の画像フィルタ２０に対して交叉および突然変異等の遺伝的な操作を行って、少なくとも一部のフィルタ部品２２を他のフィルタ部品２２に置換した新たな複数の画像フィルタ２０を生成する。そして、フィルタ生成部３４は、新たに生成した複数の画像フィルタ２０をフィルタ格納部３２に戻して、既に生成された複数の画像フィルタ２０に加えて格納させる。
【００１２】
変換対象画像格納部３６は、画像フィルタ２０の変換対象となる変換対象画像を格納する。変換対象画像は、一例として、当該画像処理装置１０により生成された画像フィルタ２０が適用されるアプリケーションにおいて、当該画像フィルタ２０に入力する画像のサンプル等であってよく、具体的には、使用者により予め生成または撮影された画像であってよい。
【００１３】
フィルタ処理部３８は、複数の画像フィルタ２０のそれぞれで変換対象画像を変換させて選択対象画像を生成する。一例として、フィルタ処理部３８は、フィルタ格納部３２に格納された複数の画像フィルタ２０を順次取得する。そして、フィルタ処理部３８は、取得したそれぞれの画像フィルタ２０により、変換対象画像格納部３６に格納された変換対象画像を変換させて、選択対象画像を生成する。
【００１４】
より具体的には、フィルタ処理部３８は、取得したそれぞれの画像フィルタ２０の入力段から順に当該画像フィルタ２０を構成する複数のフィルタ部品２２のそれぞれにより変換対象画像を変換させて、選択対象画像を生成する。また、フィルタ処理部３８は、複数のフィルタ部品２２のそれぞれが入力段または前段のフィルタ部品２２から入力する変換対象画像を変換して次段のフィルタ部品２２または出力段に対して出力する複数の出力画像を生成して保存する。
【００１５】
選択対象画像格納部４０は、フィルタ処理部３８において生成された選択対象画像を格納する。一例として、選択対象画像格納部４０は、フィルタ処理部３８において変換対象画像が複数の画像フィルタ２０で変換されることにより生成された選択対象画像のそれぞれを、変換した画像フィルタ２０に対応付けて格納する。
【００１６】
目標画像格納部４２は、変換対象画像を変換して生成される画像の目標となる一または複数の目標画像を格納する。一例として、目標画像は、画像処理装置１０により生成された画像フィルタ２０を適用するアプリケーションにおいて、変換対象画像を画像フィルタ２０によりフィルタリングして得られるべき画像のサンプル等であってよく、具体的には、使用者により予め生成または撮影された画像であってよい。
【００１７】
フィルタ選択部４４は、複数の画像フィルタ２０のうち、より目標画像に類似する選択対象画像を生成する画像フィルタ２０を選択する。フィルタ選択部４４は、一例として、選択対象画像格納部４０に格納された複数の選択対象画像のそれぞれと、目標画像格納部４２に格納された目標画像との類似度を算出して、類似度がより高い選択対象画像を選択する。そして、フィルタ選択部４４は、一例として、選択した選択対象画像に対応付けられた画像フィルタ２０、すなわち、当該選択対象画像の生成時に変換に用いられた画像フィルタ２０を選択してよい。さらに、フィルタ選択部４４は、一例として、選択した画像フィルタ２０をフィルタ格納部３２内に残存させ、選択した画像フィルタ２０以外の画像フィルタ２０をフィルタ格納部３２内から削除することにより淘汰してよい。
【００１８】
画像処理装置１０は、フィルタ生成部３４による処理、フィルタ処理部３８による処理、およびフィルタ選択部４４による処理を複数回（例えば複数世代）繰り返す。これにより、画像処理装置１０は、変換対象画像を目標画像との類似度が極めて高い画像へと変換するのに適した画像フィルタ２０を、進化的計算を用いて生成することができる。
【００１９】
データ生成部５０は、フィルタ部品配置部５２および画像リンク部５４を有し、画像フィルタ２０を構成するフィルタ部品２２のそれぞれが変換対象画像を変換して出力する出力画像をＷｅｂページに表示するためのＷｅｂページデータを生成する。Ｗｅｂページデータは、例えばＨＴＭＬ等のマークアップ言語で記述されたテキスト等を含んでよい。
【００２０】
フィルタ部品配置部５２は、複数のフィルタ部品２２に応じた複数の表示オブジェクトを表示するためのＷｅｂページデータを生成する。一例として、フィルタ部品配置部５２は、フィルタ処理部３８が変換対象画像を変換させた複数の画像フィルタ２０の少なくとも一つについて、当該画像フィルタ２０を構成する複数のフィルタ部品２２のそれぞれに対応する表示オブジェクトを含むＷｅｂページデータを生成する。
【００２１】
画像リンク部５４は、フィルタ部品配置部５２により生成されたＷｅｂページデータに対応するＷｅｂページ上で複数の表示オブジェクトのそれぞれが選択された場合に、当該表示オブジェクトに対応するフィルタ部品２２の出力画像を表示させるべく、Ｗｅｂページデータ中のそれぞれの表示オブジェクトに対し、対応するフィルタ部品２２の出力画像の保存先を示すリンクを付加する。
【００２２】
さらに、画像リンク部５４は、それぞれの表示オブジェクトのリンク先の出力画像を読み出して、複数のフィルタ部品２２に共通する表示領域に表示させるスクリプトを呼び出すコードをＷｅｂページデータに含めてよい。一例として、画像リンク部５４は、Ｗｅｂページ上で複数の表示オブジェクトのそれぞれが順次選択された場合に、当該表示オブジェクトに対応するフィルタ部品２２の出力画像を当該Ｗｅｂページ上の特定の表示領域に順次表示させるスクリプトを呼び出すコードをＷｅｂページデータに含める。
【００２３】
データ保存部６０は、データ生成部５０において生成されたＷｅｂページデータを保存する。また、データ保存部６０は、保存するＷｅｂページデータに含まれるそれぞれの表示オブジェクトのリンク先の出力画像を保存する。一例として、データ保存部６０は、保存するＷｅｂページデータに含まれるそれぞれの表示オブジェクトのリンク先の出力画像をフィルタ処理部３８から取得する。そして、データ保存部６０は、取得した出力画像のそれぞれを保存する。なお、データ保存部６０は、画像リンク部５４によって上記リンクが付加され、上記コードが含められたＷｅｂページデータを、当該出力画像を保存したディレクトリと同じディレクトリ、または当該ディレクトリの親ディレクトリに保存してよい。これにより、外部のコンピュータは、データ保存部６０内のＷｅｂページデータ等をアクセスできるようになるので、データ保存部６０が取得した出力画像をＷｅｂページ上で確認することができる。
【００２４】
図２は、フィルタ部品２２を直列に組み合わせた構成の画像フィルタ２０の一例を示す。図３は、フィルタ部品２２を木構造に組み合わせた構成の画像フィルタ２０の一例を示す。
【００２５】
画像フィルタ２０は、入力画像データを受け取り、受け取った入力画像データに対してフィルタ演算処理を施して、出力画像データを出力する。画像フィルタ２０は、一例として、画像データに対して演算を施すプログラムであってよい。また、画像フィルタ２０は、一例として、画像データに対して施すべき演算内容を表わす演算式であってもよい。
【００２６】
画像フィルタ２０は、複数のフィルタ部品２２を組み合わせた構成を有する。画像フィルタ２０は、一例として、図２に示されるように、フィルタ部品２２を直列に組み合わせた構成を有してよい。また、画像フィルタ２０は、一例として、図３に示されるように、フィルタ部品２２を木構造に組み合わせた構成を有してよい。
【００２７】
なお、フィルタ部品２２が木構造に組み合わされた構成の画像フィルタ２０は、木構造の末端（最下位）のフィルタ部品２２のそれぞれに、同一の入力画像データが与えられ、木構造の最上位のフィルタ部品２２から出力画像データを出力する。これに代えて、このような画像フィルタ２０は、複数の末端のフィルタ部品２２のそれぞれに互いに異なる入力画像データが与えられてもよい。
【００２８】
複数のフィルタ部品２２のそれぞれは、前段に配置されたフィルタ部品２２から出力された画像データを受け取り、受け取った画像データに演算を施して後段に配置されたフィルタ部品２２に与える。複数のフィルタ部品２２のそれぞれは、プログラムモジュールおよび演算式等であってよく、一例として、受け取った画像データに対して２値化演算、ヒストグラム演算、平滑化演算、エッジ検出演算、モルフォロジ演算、及び／または周波数空間での演算（例えば、ローパスフィルタリング演算およびハイパスフィルタリング演算）等の単項演算を施してよい。
【００２９】
また、複数のフィルタ部品２２のそれぞれは、受け取った画像データに対して平均演算、差分演算及び／またはファジー演算（例えば論理和演算、論理積演算、代数和、代数積、限界和、限界積、激烈和および激烈積等）等の二項演算を施してもよい。
【００３０】
図４は、フィルタ部品２２を直列に組み合わせた構成の画像フィルタ２０に対して行われる遺伝的な操作の一例を示す。図５は、フィルタ部品２２を木構造に組み合わせた構成の画像フィルタ２０に対して行われる交叉操作の一例を示す。図６は、フィルタ部品２２を木構造に組み合わせた構成の画像フィルタ２０に対して行われる突然変異操作の一例を示す。
【００３１】
フィルタ生成部３４は、一例として、２個またはそれ以上の画像フィルタ２０に対して、遺伝的な操作の一例である交叉操作を行って新たな２個またはそれ以上の画像フィルタ２０を生成してよい。フィルタ生成部３４は、一例として、図４および図５に示されるように、既に生成された少なくとも１つの一の画像フィルタ２０Ａの一部のフィルタ部品群２４Ａを、既に生成された他の画像フィルタ２０Ｂの少なくとも一部のフィルタ部品群２４Ｂと置換して、新たな画像フィルタ２０Ｅおよび２０Ｆを生成してよい。なお、フィルタ部品群２４は、１または複数のフィルタ部品２２を組み合わせた部材であってよい。
【００３２】
また、フィルタ生成部３４は、一例として、一の画像フィルタ２０に対して、遺伝的な操作の一例である突然変異操作を行って新たな一の画像フィルタ２０を生成してよい。フィルタ生成部３４は、一例として、図４および図６に示されるように、既に生成された一の画像フィルタ２０Ｃの一部のフィルタ部品群２４Ｃを、ランダムに選択された他のフィルタ部品群２４Ｇに置換して、新たな画像フィルタ２０Ｇを生成してよい。
【００３３】
また、フィルタ生成部３４は、一例として、現世代の画像フィルタ２０をそのまま次世代の画像フィルタ２０として残してもよい。フィルタ生成部３４は、一例として、図４に示されるように、画像フィルタ２０Ｄのフィルタ部品２２の構成をそのまま含む次世代の画像フィルタ２０Ｈを生成してよい。
【００３４】
フィルタ選択部４４は、フィルタ生成部３４により生成された複数の画像フィルタ２０の中から、生物の自然淘汰をモデル化した手法により、１または複数の画像フィルタ２０を選択する。フィルタ選択部４４は、一例として、複数の画像フィルタ２０の中の適合度がより高い画像フィルタ２０を優先的に選択してよい。フィルタ選択部４４は、他の例として、複数の画像フィルタ２０のそれぞれの適合度に基づき、エリート選択およびルーレット選択などの手法により、画像フィルタ２０を選択してよい。そして、フィルタ選択部４４は、選択した画像フィルタ２０を次世代へ生存させるべく当該画像フィルタ２０をフィルタ格納部３２内に保存し、選択されなかった画像フィルタ２０を死滅させるべくフィルタ格納部３２内から削除する。
【００３５】
図７は、画像フィルタ２０の適合度を表わすパラメータの一例である類似度の算出方法の一例を示す。本実施形態において、フィルタ選択部４４は、当該画像フィルタ２０により変換対象画像を変換させることにより生成された選択対象画像と、目標画像とがどれだけ類似しているかを表わす類似度を、画像フィルタ２０の適合度を表わすパラメータとして算出する。すなわち、この類似度は、値がより大きいほど、当該類似度の算出に用いた選択対象画像が目標画像と類似していることを示す評価値または指標となる。したがって、類似度が最も高い選択対象画像を生成した画像フィルタ２０は、変換対象画像を目標画像に最も近い選択対象画像に変換することのできる画像フィルタ２０となる。
【００３６】
フィルタ選択部４４は、一例として、選択対象画像の各ピクセルの値（例えば輝度値）と、目標画像の対応するピクセルの値（例えば輝度値）とを比較する。より具体的には、フィルタ選択部４４は、一例として、選択対象画像の各ピクセルの値と、目標画像の対応するピクセルの値との差または比率等を算出する。そして、フィルタ選択部４４は、一例として、複数のピクセルの全ての比較結果を平均または合計し、その結果を当該選択対象画像の類似度としてよい。
【００３７】
フィルタ選択部４４は、複数の画像フィルタ２０により変換された複数の選択対象画像のそれぞれに対して、以上のように類似度を算出する。そして、フィルタ選択部４４は、類似度がより高い選択対象画像を優先的に選択する。フィルタ選択部４４は、一例として、類似度が予め定められた基準値より高い選択対象画像を選択してよい。また、フィルタ選択部４４は、一例として、類似度が上位から予め定められた範囲内である選択対象画像を選択してもよい。また、フィルタ選択部４４は、類似度がより高い選択対象画像がより高い確率で選択されるように設定がされている条件下で、ランダムに選択対象画像を選択してもよい。
【００３８】
図８は、画像処理装置１０の処理フローの一例を示す。本例において、画像処理装置１０は、ステップＳ１２からステップＳ１５までの各処理を、第Ｎ世代まで複数回繰返して実行する（Ｓ１１、Ｓ１６）。
【００３９】
各世代において、まず、フィルタ生成部３４は、前世代から残存した複数の画像フィルタ２０に対して、交叉操作および突然変異操作等の遺伝的な操作を行って、新たな複数の画像フィルタ２０を生成する（Ｓ１２）。なお、フィルタ生成部３４は、一例として、最初の世代においては、使用者等により予め生成された複数の画像フィルタ２０に対して遺伝的な操作を行って新たな複数の画像フィルタ２０を生成してよい。
【００４０】
続いて、フィルタ処理部３８は、前世代から残存した複数の画像フィルタ２０およびステップＳ１２で新たに生成された複数の画像フィルタ２０のそれぞれにより、変換対象画像を変換して選択対象画像を生成する（Ｓ１３）。これにより、フィルタ処理部３８は、複数の画像フィルタ２０に対応した複数の選択対象画像を生成することができる。
【００４１】
続いて、フィルタ選択部４４は、複数の選択対象画像のそれぞれと目標画像との類似度を算出し、類似度がより高い選択対象画像に対応する複数の画像フィルタ２０を選択する（Ｓ１４）。なお、フィルタ選択部４４は、一例として、最後の世代においては、変換対象画像から類似度の最も高い１個の選択対象画像を生成した１個の画像フィルタ２０を選択してよい。
【００４２】
続いて、フィルタ選択部４４は、ステップＳ１４において選択された１または複数の画像フィルタ２０を次世代に残存させ、ステップＳ１４において選択されなかった選択対象画像を生成した画像フィルタ２０を削除する（Ｓ１５）。画像処理装置１０は、以上の処理を複数の世代（例えば数十世代または数百世代）繰返して実行し、第Ｎ世代（Ｎは２以上の整数）まで処理を実行した後に、当該フローを抜ける（Ｓ１６）。このようにして、画像処理装置１０は、変換対象画像を目標画像へ変換するのに適した画像フィルタ２０を、進化的計算を用いて生成することができる。
【００４３】
図９は、画像処理装置１０のデータ生成部５０およびデータ保存部６０がＷｅｂページデータを生成して保存するまでの処理フローの一例を示す。一の世代においてフィルタ処理部３８がフィルタ格納部３２に格納された複数の画像フィルタ２０のそれぞれで変換対象画像を変換させると、データ生成部５０のフィルタ部品配置部５２は、当該複数の画像フィルタ２０のそれぞれについて、複数のフィルタ部品２２のそれぞれに対応する表示オブジェクトを含むＷｅｂページデータを生成する（Ｓ１００）。ここで、生成されたＷｅｂページデータは、データ保存部６０に保存されてもよく、また、フィルタ部品配置部５２自身に記憶されてもよい。
【００４４】
続いて、画像リンク部５４は、フィルタ部品配置部５２により生成されたＷｅｂページデータ中のそれぞれの表示オブジェクトに対し、対応するフィルタ部品２２の出力画像の保存先を示すリンクを付加する（Ｓ１１０）。そして、画像リンク部５４は、それぞれの表示オブジェクトのリンク先の出力画像を読み出して、複数のフィルタ部品２２に共通する表示領域に表示させるスクリプトを呼び出すコードをＷｅｂページデータに含める（Ｓ１２０）。
【００４５】
続いて、データ保存部６０は、生成されたＷｅｂページデータを保存する（Ｓ１３０）。また、データ保存部６０は、保存するＷｅｂページデータに含まれるそれぞれの表示オブジェクトのリンク先の出力画像をフィルタ処理部３８から取得して保存する（Ｓ１４０）。
【００４６】
データ生成部５０およびデータ保存部６０は、上記ステップＳ１００からステップＳ１４０までの各処理を、例えば各世代毎あるいは利用者が予め指定した世代において実行してよい。また、フィルタ処理部３８が最後の世代においてフィルタ選択部４４が選択した１または複数個の画像フィルタ２０、すなわち、例えば目標画像により類似する選択対象画像を出力する画像フィルタ２０に変換対象画像を変換させて、データ生成部５０およびデータ保存部６０が、当該１個の画像フィルタ２０および当該変換処理において生成された出力画像について上記ステップＳ１００からステップＳ１４０までの各処理を実行してもよい。
【００４７】
図１０は、データ生成部５０により生成されたＷｅｂページデータ３００により表示されるＷｅｂページ２００の一例を示す。また、図１１は、Ｗｅｂページデータ３００の一例を示す。図１２は、それぞれの表示オブジェクトのリンク先の出力画像をＷｅｂページ２００上の表示領域２４０に表示させるときの属性等を指定するスクリプト４００の一例を示す。Ｗｅｂページ２００は、例えばブラウザ等のアプリケーションソフトによりコンピュータの画面上に表示されてよい。
【００４８】
複数のフィルタ部品２２を木構造に組み合わせた構成を有する画像フィルタ２０は、Ｗｅｂページ２００において、それぞれのフィルタ部品２２に対応する表示オブジェクトが当該画像フィルタ２０の木構造に準じた配置で表示される。すなわち、「Ｅｒｏｄｅ（収縮処理を担うフィルタ）」、あるいは「Ｄｉｌａｔｅ（膨張処理を担うフィルタ）」等の文字列とともに表示されるボックスが画像フィルタ２０の各フィルタ部品２２に対応する表示オブジェクトである。なお、これらの文字列は、対応するフィルタ部品２２における変換処理の内容を示す。例えば「ＤｒａｓｔｉｃＳｕｍ」の文字列を囲むボックスは、入力する２つの画像の激烈和を取った画像を出力するフィルタ部品２２に対応する表示オブジェクトである。
【００４９】
例えば利用者がマウス等のポインティングデバイス（Ｐｏｉｎｔｉｎｇ  Ｄｅｖｉｃｅ）の操作によりＷｅｂページ２００上のカーソル２２０の位置を一の表示オブジェクト２１０上に合わせると、表示オブジェクト２１０が選択され、表示オブジェクト２１０のリンク先の画像がＷｅｂページ２００の表示領域２４０に表示される。なお、それぞれの表示オブジェクトのリンク先の画像は、当該表示オブジェクトに対応するフィルタ部品２２が前段のフィルタ部品２２から入力された画像を変換して出力する出力画像であってよい。
【００５０】
それぞれの表示オブジェクトのリンク先の画像は、Ｗｅｂページデータ３００のａｒｅａ要素（＜ａｒｅａ・・・＞で記述される１０行目〜３８行目までのプログラムコード）において、それぞれの表示オブジェクトがカーソルによって指定されたと見なす領域の座標、およびスクリプト４００を呼び出すコード（本例では「ｐｏｐｕｐＩｍａｇｅ」）とともに、ファイル名によって指定される。
【００５１】
例えば、Ｗｅｂページデータ３００の２０行目において座標が指定された円領域（表示オブジェクト２１０およびその近傍の領域）にカーソル２２０を移動させると、「ｉｍｇ／０１０．ｂｍｐ」のファイル名で保存されている画像がスクリプト４００において指定された属性等（９〜２４行目）に基づいてＷｅｂページ２００の表示領域２４０に表示される。このとき、既に表示領域２４０に表示されていた画像があるときは、その画像が新たな画像に置き換えられてよい（２〜５行目）。
【００５２】
このように、画像処理装置１０は、Ｗｅｂページデータを生成することにより、画像フィルタ２０を構成するそれぞれのフィルタ部品２２の出力画像を、それぞれのフィルタ部品２２に対応する表示オブジェクトに関連付けてＷｅｂページに表示させることができる。したがって、利用者は、画像フィルタ２０を構成するそれぞれのフィルタ部品２２が出力する出力画像を容易に確認することができる。
【００５３】
図１３は、本実施形態の他の例に係る画像処理装置１０の構成を示す。画像処理装置１０は、選択処理部７０を更に備えてもよい。選択処理部７０は、複数のフィルタ部品２２に共通して設けられた２以上の表示領域から一の表示領域を利用者に選択させる領域選択オブジェクトをフィルタ部品配置部５２が生成したＷｅｂページデータに含める。一例として、選択処理部７０は、データ生成部５０に対して、Ｗｅｂページ上に２以上の表示領域が設けられたＷｅｂページデータおよびスクリプトを生成させる。そして、選択処理部７０は、２以上の表示領域から一の表示領域を利用者に選択させる領域選択オブジェクトをＷｅｂページデータに含めることにより、Ｗｅｂページに当該領域選択オブジェクトを表示させてよい。
【００５４】
これにより、利用者は、例えば一の表示領域を選択して一のフィルタ部品２２の出力画像をＷｅｂページ上の一の表示領域に表示させた後、他の表示領域を選択して当該一のフィルタ部品２２と異なる他のフィルタ部品２２の出力画像を当該一の表示領域と異なる他の表示領域に表示させることができる。これにより、利用者は、それぞれの出力画像を比較することができる。
【００５５】
図１４は、本実施形態に係るコンピュータ１９００のハードウェア構成の一例を示す。本実施形態に係るコンピュータ１９００は、ホスト・コントローラ２０８２により相互に接続されるＣＰＵ２０００、ＲＡＭ２０２０、グラフィック・コントローラ２０７５、及び表示装置２０８０を有するＣＰＵ周辺部と、入出力コントローラ２０８４によりホスト・コントローラ２０８２に接続される通信インターフェイス２０３０、ハードディスクドライブ２０４０、及びＣＤ−ＲＯＭドライブ２０６０を有する入出力部と、入出力コントローラ２０８４に接続されるＲＯＭ２０１０、フレキシブルディスク・ドライブ２０５０、及び入出力チップ２０７０を有するレガシー入出力部とを備える。
【００５６】
ホスト・コントローラ２０８２は、ＲＡＭ２０２０と、高い転送レートでＲＡＭ２０２０をアクセスするＣＰＵ２０００及びグラフィック・コントローラ２０７５とを接続する。ＣＰＵ２０００は、ＲＯＭ２０１０及びＲＡＭ２０２０に格納されたプログラムに基づいて動作し、各部の制御を行う。グラフィック・コントローラ２０７５は、ＣＰＵ２０００等がＲＡＭ２０２０内に設けたフレーム・バッファ上に生成する画像データを取得し、表示装置２０８０上に表示させる。これに代えて、グラフィック・コントローラ２０７５は、ＣＰＵ２０００等が生成する画像データを格納するフレーム・バッファを、内部に含んでもよい。
【００５７】
入出力コントローラ２０８４は、ホスト・コントローラ２０８２と、比較的高速な入出力装置である通信インターフェイス２０３０、ハードディスクドライブ２０４０、ＣＤ−ＲＯＭドライブ２０６０を接続する。通信インターフェイス２０３０は、ネットワークを介して他の装置と通信する。ハードディスクドライブ２０４０は、コンピュータ１９００内のＣＰＵ２０００が使用するプログラム及びデータを格納する。ＣＤ−ＲＯＭドライブ２０６０は、ＣＤ−ＲＯＭ２０９５からプログラム又はデータを読み取り、ＲＡＭ２０２０を介してハードディスクドライブ２０４０に提供する。
【００５８】
また、入出力コントローラ２０８４には、ＲＯＭ２０１０と、フレキシブルディスク・ドライブ２０５０、及び入出力チップ２０７０の比較的低速な入出力装置とが接続される。ＲＯＭ２０１０は、コンピュータ１９００が起動時に実行するブート・プログラム、及び／又は、コンピュータ１９００のハードウェアに依存するプログラム等を格納する。フレキシブルディスク・ドライブ２０５０は、フレキシブルディスク２０９０からプログラム又はデータを読み取り、ＲＡＭ２０２０を介してハードディスクドライブ２０４０に提供する。入出力チップ２０７０は、フレキシブルディスク・ドライブ２０５０を入出力コントローラ２０８４へと接続すると共に、例えばパラレル・ポート、シリアル・ポート、キーボード・ポート、マウス・ポート等を介して各種の入出力装置を入出力コントローラ２０８４へと接続する。
【００５９】
ＲＡＭ２０２０を介してハードディスクドライブ２０４０に提供されるプログラムは、フレキシブルディスク２０９０、ＣＤ−ＲＯＭ２０９５、又はＩＣカード等の記録媒体に格納されて利用者によって提供される。プログラムは、記録媒体から読み出され、ＲＡＭ２０２０を介してコンピュータ１９００内のハードディスクドライブ２０４０にインストールされ、ＣＰＵ２０００において実行される。
【００６０】
コンピュータ１９００にインストールされ、コンピュータ１９００を画像処理装置１０として機能させるプログラムは、フィルタ格納モジュールと、フィルタ生成モジュールと、変換対象画像格納モジュールと、フィルタ処理モジュールと、選択対象画像格納モジュールと、目標画像格納モジュールと、フィルタ選択モジュールと、データ生成モジュールと、データ保存モジュールと、選択処理モジュールとを備える。これらのプログラム又はモジュールは、ＣＰＵ２０００等に働きかけて、コンピュータ１９００を、フィルタ格納部３２、フィルタ生成部３４、変換対象画像格納部３６、フィルタ処理部３８、選択対象画像格納部４０、目標画像格納部４２、フィルタ選択部４４、データ生成部５０、データ保存部６０、および選択処理部７０としてそれぞれ機能させる。
【００６１】
これらのプログラムに記述された情報処理は、コンピュータ１９００に読込まれることにより、ソフトウェアと上述した各種のハードウェア資源とが協働した具体的手段であるフィルタ格納部３２、フィルタ生成部３４、変換対象画像格納部３６、フィルタ処理部３８、選択対象画像格納部４０、目標画像格納部４２、フィルタ選択部４４、データ生成部５０、データ保存部６０、および選択処理部７０として機能する。そして、これらの具体的手段によって、本実施形態におけるコンピュータ１９００の使用目的に応じた情報の演算又は加工を実現することにより、使用目的に応じた特有の画像処理装置１０が構築される。
【００６２】
一例として、コンピュータ１９００と外部の装置等との間で通信を行う場合には、ＣＰＵ２０００は、ＲＡＭ２０２０上にロードされた通信プログラムを実行し、通信プログラムに記述された処理内容に基づいて、通信インターフェイス２０３０に対して通信処理を指示する。通信インターフェイス２０３０は、ＣＰＵ２０００の制御を受けて、ＲＡＭ２０２０、ハードディスクドライブ２０４０、フレキシブルディスク２０９０、又はＣＤ−ＲＯＭ２０９５等の記憶装置上に設けた送信バッファ領域等に記憶された送信データを読み出してネットワークへと送信し、もしくは、ネットワークから受信した受信データを記憶装置上に設けた受信バッファ領域等へと書き込む。このように、通信インターフェイス２０３０は、ＤＭＡ（ダイレクト・メモリ・アクセス）方式により記憶装置との間で送受信データを転送してもよく、これに代えて、ＣＰＵ２０００が転送元の記憶装置又は通信インターフェイス２０３０からデータを読み出し、転送先の通信インターフェイス２０３０又は記憶装置へとデータを書き込むことにより送受信データを転送してもよい。
【００６３】
また、ＣＰＵ２０００は、ハードディスクドライブ２０４０、ＣＤ−ＲＯＭドライブ２０６０（ＣＤ−ＲＯＭ２０９５）、フレキシブルディスク・ドライブ２０５０（フレキシブルディスク２０９０）等の外部記憶装置に格納されたファイルまたはデータベース等の中から、全部または必要な部分をＤＭＡ転送等によりＲＡＭ２０２０へと読み込ませ、ＲＡＭ２０２０上のデータに対して各種の処理を行う。そして、ＣＰＵ２０００は、処理を終えたデータを、ＤＭＡ転送等により外部記憶装置へと書き戻す。このような処理において、ＲＡＭ２０２０は、外部記憶装置の内容を一時的に保持するものとみなせるから、本実施形態においてはＲＡＭ２０２０および外部記憶装置等をメモリ、記憶部、または記憶装置等と総称する。本実施形態における各種のプログラム、データ、テーブル、データベース等の各種の情報は、このような記憶装置上に格納されて、情報処理の対象となる。なお、ＣＰＵ２０００は、ＲＡＭ２０２０の一部をキャッシュメモリに保持し、キャッシュメモリ上で読み書きを行うこともできる。このような形態においても、キャッシュメモリはＲＡＭ２０２０の機能の一部を担うから、本実施形態においては、区別して示す場合を除き、キャッシュメモリもＲＡＭ２０２０、メモリ、及び／又は記憶装置に含まれるものとする。
【００６４】
また、ＣＰＵ２０００は、ＲＡＭ２０２０から読み出したデータに対して、プログラムの命令列により指定された、本実施形態中に記載した各種の演算、情報の加工、条件判断、情報の検索・置換等を含む各種の処理を行い、ＲＡＭ２０２０へと書き戻す。例えば、ＣＰＵ２０００は、条件判断を行う場合においては、本実施形態において示した各種の変数が、他の変数または定数と比較して、大きい、小さい、以上、以下、等しい等の条件を満たすかどうかを判断し、条件が成立した場合（又は不成立であった場合）に、異なる命令列へと分岐し、またはサブルーチンを呼び出す。
【００６５】
また、ＣＰＵ２０００は、記憶装置内のファイルまたはデータベース等に格納された情報を検索することができる。例えば、第１属性の属性値に対し第２属性の属性値がそれぞれ対応付けられた複数のエントリが記憶装置に格納されている場合において、ＣＰＵ２０００は、記憶装置に格納されている複数のエントリの中から第１属性の属性値が指定された条件と一致するエントリを検索し、そのエントリに格納されている第２属性の属性値を読み出すことにより、所定の条件を満たす第１属性に対応付けられた第２属性の属性値を得ることができる。
【００６６】
以上に示したプログラム又はモジュールは、外部の記録媒体に格納されてもよい。記録媒体としては、フレキシブルディスク２０９０、ＣＤ−ＲＯＭ２０９５の他に、ＤＶＤ又はＣＤ等の光学記録媒体、ＭＯ等の光磁気記録媒体、テープ媒体、ＩＣカード等の半導体メモリ等を用いることができる。また、専用通信ネットワーク又はインターネットに接続されたサーバシステムに設けたハードディスク又はＲＡＭ等の記憶装置を記録媒体として使用し、ネットワークを介してプログラムをコンピュータ１９００に提供してもよい。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００６８】
【図１】本実施形態に係る画像処理装置１０の構成を示す。
【図２】フィルタ部品２２を直列に組み合わせた構成の画像フィルタ２０の一例を示す。
【図３】フィルタ部品２２を木構造に組み合わせた構成の画像フィルタ２０の一例を示す。
【図４】フィルタ部品２２を直列に組み合わせた構成の画像フィルタ２０に対して行われる遺伝的な操作の一例を示す。
【図５】フィルタ部品２２を木構造に組み合わせた構成の画像フィルタ２０に対して行われる交叉操作の一例を示す。
【図６】フィルタ部品２２を木構造に組み合わせた構成の画像フィルタ２０に対して行われる突然変異操作の一例を示す。
【図７】画像フィルタ２０の適合度を表わすパラメータの一例である類似度の算出方法の一例を示す。
【図８】画像処理装置１０の処理フローの一例を示す。
【図９】画像処理装置１０のデータ生成部５０およびデータ保存部６０がＷｅｂページデータを生成して保存するまでの処理フローの一例を示す。
【図１０】データ生成部５０により生成されたＷｅｂページデータ３００により表示されるＷｅｂページ２００の一例を示す。
【図１１】Ｗｅｂページデータ３００の一例を示す。
【図１２】それぞれの表示オブジェクトのリンク先の出力画像をＷｅｂページ２００上の表示領域２４０に表示させるときの属性等を指定するスクリプト４００の一例を示す。
【図１３】本実施形態の他の例に係る画像処理装置１０の構成を示す。
【図１４】本実施形態に係るコンピュータ１９００のハードウェア構成の一例を示す。
【符号の説明】
【００６９】
１０  画像処理装置
２０  画像フィルタ
２２  フィルタ部品
２４  フィルタ部品群
２６  部分フィルタ
３２  フィルタ格納部
３４  フィルタ生成部
３６  変換対象画像格納部
３８  フィルタ処理部
４０  選択対象画像格納部
４２  目標画像格納部
４４  フィルタ選択部
５０  データ生成部
５２  フィルタ部品配置部
５４  画像リンク部
６０  データ保存部
７０  選択処理部
２００  Ｗｅｂページ
３００  Ｗｅｂページデータ
４００  スクリプト
１９００  コンピュータ
２０００  ＣＰＵ
２０１０  ＲＯＭ
２０２０  ＲＡＭ
２０３０  通信インターフェイス
２０４０  ハードディスクドライブ
２０５０  フレキシブルディスク・ドライブ
２０６０  ＣＤ−ＲＯＭドライブ
２０７０  入出力チップ
２０７５  グラフィック・コントローラ
２０８０  表示装置
２０８２  ホスト・コントローラ
２０８４  入出力コントローラ
２０９０  フレキシブルディスク
２０９５  ＣＤ−ＲＯＭ
【図１】
0005088228.tif 000002
【図２】
0005088228.tif 000003
【図３】
0005088228.tif 000004
【図４】
0005088228.tif 000005
【図５】
0005088228.tif 000006
【図６】
0005088228.tif 000007
【図７】
0005088228.tif 000008
【図８】
0005088228.tif 000009
【図９】
0005088228.tif 000010
【図１０】
0005088228.tif 000011
【図１１】
0005088228.tif 000012
【図１２】
0005088228.tif 000013
【図１３】
0005088228.tif 000014
【図１４】
0005088228.tif 000015